(57)【要約】【課題】記録開始時の光源のパワー制御が正しく実行されるようにする。【解決手段】レーザコントロール回路は、記録中か否かを判断し（Ｓ１）、記録中でなければ（記録開始動作前なら）コントロール信号ＥＮＣｗによって記録時と同一のＤｕｔｙ（デューティー）となるダミー記録データを発光する動作を行い（Ｓ２）、ＥＮＣｗＬＰＦ（コントロール信号ＥＮＣｗの平均値又はその平均値に比例する比例値）が整定完了したか否かを判断して整定完了するまで待ち（Ｓ３）、整定完了したらコントロール信号ＥＮＣｗによって記録時と同一のＤｕｔｙ（デューティー）となるダミー記録データを発光する動作を終了し（Ｓ４）、この処理を終了する。【選択図】      図６
2004288249.tif 000002
【特許請求の範囲】
【請求項１】
記録可能な記録媒体に記録ピットを形成するために照射させる光を発光する光源を第１のパワーと該第１のパワーよりも低い第２のパワーとで交互に発光させるようにした光出力制御装置であって、
前記光源に対する駆動電流を供給する光源駆動電流供給手段と、前記記録可能な記録媒体に形成すべき記録ピットの幅に対して前記第１のパワーの時間幅の長短を制御する時間幅制御手段と、前記光源の発光する光の出力をモニタするモニタ手段と、前記記録可能な記録媒体に対する記録時に前記モニタ手段の出力の平均値又は該平均値に比例した比例値を生成する手段と、該手段によって生成された平均値又は該平均値に比例した比例値が前記第１のパワーの目標設定値になるように前記光源駆動電流供給手段を制御する制御手段と、前記時間幅制御手段による長短の制御によって前記第１のパワーの時間幅を短く又は長くしたことにより前記第１のパワーで発光される時間幅のデューティが変化した分を前記平均値又は該平均値に比例した比例値から補正又は前記第１のパワーの目標設定値を可変する手段と、前記記録可能な記録媒体に対する前記光源の記録発光前の読み取り時、前記光源による前記第１のパワーによる発光のオンとオフを制御するコントロール信号をオン又はオフしてそのコントロール信号の平均値を生成する手段と、該手段によって生成した平均値に基づいて補正値を算出し、該補正値を前記第１のパワーに与える手段とを備えたことを特徴とする光出力制御装置。
【請求項２】
請求項１記載の光出力制御装置において、前記コントロール信号をオン又はオフしてそのコントロール信号の平均値を生成する際、前記光源へのリード電流値に重畳されるライト電流値を０にするようにしたことを特徴とする光出力制御装置。
【請求項３】
請求項１又は２記載の光出力制御装置において、記録中断時などの読み取り時は直前の記録時のオンとオフの制御を行うコントロール信号の平均値を保持し、記録再開後の記録開始時に前記保持した平均値を用いるようにしたことを特徴とする光出力制御装置。
【請求項４】
請求項１乃至３のいずれか一項に記載の光出力制御装置において、記録前の読み取り時のオンとオフの制御を行うコントロール信号の平均値を生成する時は前記第１のパワーのパワー制御動作をホールドするようにしたことを特徴とする光出力制御装置。
【発明の詳細な説明】
【０００１】
【発明の属する技術分野】
この発明は、光ディスク装置の記録再生に用いる光ピックアップ装置に組み込まれた半導体レーザ等の光源の発光出力を制御するのに好適なレーザ光出力制御回路等の光出力制御装置に関する。
【０００２】
【従来の技術】
従来の光ディスク装置に用いられる光出力制御装置は、記録可能な記録媒体に記録ピットを形成するために照射させる光を発光する光源を第１のパワーＰｗのＯＮ／ＯＦＦ制御を行うコントロール信号の平均値を生成し、その平均値より補正値を算出し、その第１のパワーＰｗを補正量として与えている（例えば、特許文献１参照）。
【０００３】
【特許文献１】
特開２００２−５７４０３号公報
【０００４】
【発明が解決しようとする課題】
しかしながら、従来の光出力制御装置では、第１のパワーＰｗのレベルの出力のＯＮ／ＯＦＦ制御を行うコントロール信号の平均値を取得するまでの間、補正量が正しくない為、記録開始時のパワー制御が正しく実行されないという問題があった。
この発明は上記の課題を解決するためになされたものであり、記録開始時の光源のパワー制御が正しく実行されるようにすることを目的とする。
【０００５】
【課題を解決するための手段】
この発明は上記の目的を達成するため、次の（１）〜（４）の光出力制御装置を提供する。
（１）記録可能な記録媒体に記録ピットを形成するために照射させる光を発光する光源を第１のパワーとその第１のパワーよりも低い第２のパワーとで交互に発光させるようにした光出力制御装置であって、上記光源に対する駆動電流を供給する光源駆動電流供給手段と、上記記録可能な記録媒体に形成すべき記録ピットの幅に対して上記第１のパワーの時間幅の長短を制御する時間幅制御手段と、上記光源の発光する光の出力をモニタするモニタ手段と、上記記録可能な記録媒体に対する記録時に上記モニタ手段の出力の平均値又はその平均値に比例した比例値を生成する手段と、その手段によって生成された平均値又はその平均値に比例した比例値が上記第１のパワーの目標設定値になるように上記光源駆動電流供給手段を制御する制御手段と、上記時間幅制御手段による長短の制御によって上記第１のパワーの時間幅を短く又は長くしたことにより上記第１のパワーで発光される時間幅のデューティが変化した分を上記平均値又はその平均値に比例した比例値から補正又は上記第１のパワーの目標設定値を可変する手段と、上記記録可能な記録媒体に対する上記光源の記録発光前の読み取り時、上記光源による上記第１のパワーによる発光のオンとオフを制御するコントロール信号をオン又はオフしてそのコントロール信号の平均値を生成する手段と、その手段によって生成した平均値に基づいて補正値を算出し、その補正値を上記第１のパワーに与える手段を備えた光出力制御装置。
【０００６】
（２）（１）の光出力制御装置において、上記コントロール信号をオン又はオフしてそのコントロール信号の平均値を生成する際、上記光源へのリード電流値に重畳されるライト電流値を０にするようにした光出力制御装置。
（３）（１）又は（２）の光出力制御装置において、記録中断時などの読み取り時は直前の記録時のオンとオフの制御を行うコントロール信号の平均値を保持し、記録再開後の記録開始時に上記保持した平均値を用いるようにした光出力制御装置。
（４）（１）乃至（３）のいずれかの光出力制御装置において、記録前の読み取り時のオンとオフの制御を行うコントロール信号の平均値を生成する時は上記第１のパワーのパワー制御動作をホールドするようにした光出力制御装置。
【０００７】
【発明の実施の形態】
以下、この発明の実施形態を図面に基づいて具体的に説明する。
図１は、この発明の光出力制御装置の一実施形態であるレーザコントロール回路を用いた光ディスク装置（光ディスクドライブ装置）の内部構成例を示すブロック図である。
図２は、図３に示す光源である半導体レーザＬＤから発光されるレーザ光の２値方式の発光波形を示す波形図である。
図３は、図１に示すレーザコントロール回路の内部構成例を示すブロック図である。
図４は、図１に示すＣＤエンコーダの内部構成例を示すブロック図である。
【０００８】
この光ディスク装置は、追記型光ディスク（ＣＤ−Ｒｅｃｏｒｄａｂｌｅ  Ｄｉｓｋ：ＣＤ−Ｒディスク）等の記録可能な光ディスク１に対するデータの記録及び再生を行うＣＤ−Ｒ／ＣＤ−ＲＷドライブ装置等の装置である。
図１を参照してこの光ディスク装置の概略構成及び動作について説明する。
光ディスク１は回転駆動手段としてのスピンドルモータ２によって回転駆動される。スピンドルモータ２はモータドライバ３とサーボ４とによって線速度一定（ＣＬＶ）又は回転数一定（ＣＡＶ）になるように制御される。その線速度は段階的に変更が可能である。
光ピックアップ５は後述する半導体レーザ（ＬＤ），光学系，フォーカシングアクチュエータ，トラッキングアクチュエータ，受光器，ポジションセンサ等を内蔵しており、ＬＤの発光するレーザ光を光ディスク１の記録面に照射する。
【０００９】
光ピックアップ５は、図示を省略した公知のシークモータによってスレッジ方向（ディスク半径方向）に移動可能にされている。上記フォーカシングアクチュエータ，トラッキングアクチュエータ，シークモータは受光器やポジションセンサから得られる信号に基づいてモータドライバ３とサーボ４とによってレーザ光のレーザスポットを光ディスク１上の目的の場所に位置させるように制御する。
【００１０】
データ再生時には、光ピックアップ５で得られた再生信号をリードアンプ６で増幅して２値化した後、ＣＤデコーダ７に入力してデインターリーブとエラー訂正の処理を行う。さらに、そのデインターリーブとエラー訂正の処理後のデータをＣＤ−ＲＯＭデコーダ８に入力してデータの信頼性を高めるためのエラー訂正処理を行う。
その後、ＣＤ−ＲＯＭデコーダ８で処理したデータをバッファマネージャ９によって一旦バッファＲＡＭ１０に蓄積し、セクタデータとして揃ったときにＡＴＡＰＩ／ＳＣＳＩインタフェース（Ｉ／Ｆ）１１によってホストコンピュータ側へ一気に転送する。また、音楽データの場合、ＣＤデコーダ７から出力されるデータをＤ／Ａコンバータ１２に入力してアナログのオーディオ信号を取り出す。
【００１１】
一方、データ記録時には、ＡＴＡＰＩ／ＳＣＳＩ・Ｉ／Ｆ１１によってホストコンピュータから転送されたデータを受信すると、そのデータをバッファマネージャ９によって一旦バッファＲＡＭ１０に蓄積する。そのバッファＲＡＭ１０に或る程度のデータが溜まったときに記録を開始するが、その前にレーザ光のレーザスポットを書き込み開始地点に位置させる。その書き込み開始地点はトラック（プリグルーブ）の蛇行によって予め光ディスク１に刻まれているウォブル信号であるＡＴＩＰ（Ａｂｓｏｌｕｔｅ  Ｔｉｍｅ  Ｉｎ  Ｐｒｅ−ｇｒｏｏｖｅ）信号によって求められる。ＡＴＩＰ信号は光ディスク上の絶対番地を示す時間情報であり、ＡＴＩＰデコーダ１３によってＡＴＩＰ信号の情報を取り出すと共に、ＡＴＩＰエラーを検出してＡＴＩＰ信号の検出エラー率を計測する。
【００１２】
また、ＡＴＩＰデコーダ１３が生成する同期信号はＣＤエンコーダ１４に入力されて正確な位置でのデータの書き出しを可能にしている。
バッファＲＡＭ１０のデータは、ＣＤ−ＲＯＭエンコーダ１５やＣＤエンコーダ１４でエラー訂正コードの付加やインターリーブ（並べ替え）を行ってこの発明に係る光出力制御装置としてのレーザコントロール回路１６，光ピックアップ５を介して光ディスク１に記録される。
【００１３】
このような光ディスク装置は、上述の各部の動作を制御するためのＣＰＵ１７，ＲＯＭ１８及びＲＡＭ１９からなるマイクロコンピュータ２０を備えている。
上記光源ＬＤの発光波形としては、図２に示すように、記録ピットを形成するレベルの第１のパワーであるライトパワー（記録パワー）Ｐｗと記録ピットを形成しないレベルの第２のパワーであるボトムパワー（再生パワー）Ｐｂとの２値で交互に発光させる波形を用いる。
【００１４】
次に、上記レーザコントロール回路１６について説明する。
まず、光ピックアップ５中に設けられて制御対象となる半導体レーザ光源（ＬＤ）２１に対して、その出射光の一部（前方光でも後方光でもよい）を直接又は間接的に受光するモニタ素子としての受光素子（ＰＤ）２２が設けられている。このＰＤ２２からはＰＤ２２に入射される光パワーに比例した電流が出力される。そのＰＤ２２の出力側にはその電流出力を電圧信号に変換する電流−電圧変換器（Ｉ／Ｖ変換器：Ｉ／Ｖコンバータ）２３が設けられている。
【００１５】
Ｉ／Ｖ変換器（Ｉ／Ｖコンバータ）２３の出力側には、一方の系として、目標設定値ｒが設定された誤差増幅器２４ｒと電圧−電流変換器（Ｖ／Ｉ変換器：Ｖ／Ｉコンバータ）２５ｒと光源駆動電流供給手段である電流増幅器２６ｒと再生時にオンされるスイッチ２７ｒとによる再生系が接続されており、加算器２８を介してＬＤ２１に接続されている。
また、Ｉ／Ｖ変換器２３の出力側には、他方の系として、目標設定値ｗが可変自在な誤差増幅器２４ｗと電圧−電流変換器（Ｖ／Ｉ変換器：Ｖ／Ｉコンバータ）２５ｗと光源駆動電流供給手段である電流増幅器２６ｗとＣＤエンコーダ１４からのコントロール信号ＥＮＣｗによって適宜タイミングでオンされるスイッチ２７ｗとによる記録系が接続されており、加算器２８を介してＬＤ２１に接続されている。上記誤差増幅器２４ｗとＶ／Ｉ変換器２５ｗとによって第１パワー用駆動電流制御手段が構成されている。
【００１６】
さらに、Ｉ／Ｖ変換器２３と誤差増幅器２４ｗとの間には平均値生成手段となる低域通過フィルタ（ローパスフィルタ：ＬＰＦ）２９が接続されており、光ディスク１に対する記録時にＰＤ２２から得られる出力の平均値相当値（平均値又はその平均値に比例した比例値）を生成して誤差増幅器２４ｗに入力させるように構成されている。
【００１７】
また、ＣＤエンコーダ１４はＣＰＵ１７の制御によって時間幅制御手段として機能するものであり、その一般的な構成例及び動作について図４を参照して説明する。
ＥＦＭ信号は或る時間長をＴとしたとき（オーディオ用の１倍速時Ｔ＝１／７５／９８／５８８秒，ｎ倍速時はその１／ｎ倍），３Ｔ〜１１Ｔの長さで反転するパルスの繰り返し波形信号である。そのＥＦＭ信号は図４の波形整形回路５１によって生成されるが、波形整形回路５１はクロックジェネレータ５４から入力されるエンコーダクロックとデータ処理器５２から入力されるＥＦＭデータ（ＣＤ−ＲＯＭエンコーダ１５でエラー処理信号の付加や並べ替えが行われ、ＲＡＭ１９中のＥＦＭ変換テーブルを参照して変換されたデータであり、ここではまだＥＦＭ信号ではなく１，０のデータ列＝ＮＲＺＩ）とによりＥＦＭ信号を生成する。
【００１８】
波形整形回路５１は、ＡＴＩＰデコーダ１３から入力されるＡＴＩＰ信号によってライト開始位置を検知し、ＥＦＭ信号の送出を始める。また、波形整形回路５１は必要に応じてＥＮＣｗ等の各種コントロール信号を出力する。
エンコーダクロックは、ＣＤエンコーダ１４の外部又は内部に設けられた発振器５３により、例えばＰＬＬ構成のクロックジェネレータ５４によって生成される。エンコーダクロックはクロックジェネレータ５４内の分周器５５の分周比をマイクロコンピュータ２０などの制御信号で可変することにより、各記録速度に必要なクロックとなるように出力される。
【００１９】
図２に示したようなＬＤ２１の発光波形について、このＣＤエンコーダ１４のコントロール信号ＥＮＣｗにより、ｎ×Ｔの幅（ｎは３〜１１の整数）に対し、若干短くしたり（つまり（ｎ−θ）×Ｔの幅。ここでθはθ＜ｎを満たす値）、逆に若干長くしたり（つまり（ｎ＋θ）×Ｔ。ここでθは０以上１以下）して記録する。これにより記録されたピットがｎ×Ｔの幅になるようにしている。
ここでＣＤの場合はそのフォーマット上、ｎ×Ｔの幅で発光した場合にデューティが５０％になるようになっている。従って、（ｎ−θ）×Ｔ或いは（ｎ＋θ）×Ｔで記録した場合にはデューティーが５０％からずれてしまう。
【００２０】
このようなずれを補正するために、誤差増幅器２４ｗの入力側に対して、デューティ対応補正手段が付加されている。
このデューティ対応補正手段は、ライトパワーＰｗレベルの出力のオン・オフ制御を行わせるコントロール信号ＥＮＣｗがデューティに対応していることに着目し、そのコントロール信号ＥＮＣｗの平均値を生成するコントロール信号平均手段としてのＬＰＦ３１を設け、そのＬＰＦ３１によって得られる平均値信号をＡ／Ｄコンバータ（Ａ／Ｄ変換器）３２によってモニタしてデジタルデータに変換してＣＰＵ１７に取り込むことによりＣＰＵ１７において補正量を算出し、その補正量に基づく補正値としてＤ／Ａコンバータ（Ｄ／Ａ変換器）３０を介して誤差増幅器２４ｗに与えるように構成されている。例えば、コントロール信号ＥＮＣｗがデューティ５０％の場合はＬＰＦ３１の出力はコントロール信号ＥＮＣｗのＨレベルの１／２が出力される。
【００２１】
次に、この発明に係る処理の参考となる上記デューティ対応補正手段の概略動作について説明する。
まず、デューティが５０％の状態において、ボトムパワーＰｂを０ｍＷ，ライトパワーＰｗを例えば２０ｍＷとした場合、ＬＰＦ２９より得られるＰＤ２２の出力の平均値は、２０ｍＷと０ｍＷとの中心値の１０ｍＷでＬＤ２１をＣＷ（Ｃｏｎｓｔａｎｔ  Ｗａｖｅの略。要は直流）発光させた場合と同様な値となる。
従って、このＣＷ発光で１０ｍＷの出力と等しくなるように制御している場合、（ｎ−θ）×Ｔや（ｎ＋θ）×Ｔの幅にすることでデューティが変化した分、設定パワーと実際のパワーがずれてしまうことになる。そのずれをデューティ対応補正手段によって補正するようにし、記録可能な光ディスク１のＬＤ２１のパワー制御を高速対応の平均値で行うようにする。
【００２２】
さらに参考となる処理について詳細に説明する。ＬＤ２１に対して再生時には電流増幅器２６ｒによる駆動電流Ｉｒが供給され、記録時には電流増幅器２６ｗによる駆動電流Ｉｗがコントロール信号ＥＮＣｗによりスイッチ２７ｗがオンの場合に供給され、第１のパワー＝ライトパワーＰｗレベルで発光し、スイッチ２７ｗがオフの場合は供給されないで第２のパワー＝ボトムパワーＰｂレベルである０ｍＷとなる。
【００２３】
コントロール信号ＥＮＣｗは記録時、ＣＤエンコーダ１４によって生成される。即ち、ＣＤエンコーダ１４はインタフェースなどから供給されるデータに基づいて光ディスク１に記録するフォーマットのデータに変換し、入力されるクロックと設定される記録速度により、或いは、記録速度により可変される入力クロックにより、記録ピットを形成する部分ではコントロール信号ＥＮＣｗをオンにし、記録ピットを形成しない部分ではコントロール信号ＥＮＣｗをオフにして出力する。このＬＤ２１の発光出力はＰＤ２２でモニタできるようにＬＤ２１の出射光の一部がＰＤ２２に入射される。
【００２４】
ＰＤ２２の出力はＩ／Ｖ変換器２３によって電圧に変換される。再生時はこのＩ／Ｖ変換器２３の出力が目標設定値ｒが等しくなるように誤差増幅器２４ｒ，Ｖ／Ｉ変換器２５ｒ，電流増幅器２６ｒによって制御された駆動電流ＩｒがＬＤ２１に供給される。
例えば、ＬＤ２１から１０ｍＷの光出力が出射される場合にＩ／Ｖ変換器２３の出力が１ＶになるようにＰＤ２２の位置が調整され、或いは、Ｉ／Ｖ変換器２３のゲインが調整されている場合、再生パワーが１ｍＷの場合は誤差増幅器２４ｒの目標設定値ｒには０．１Ｖが設定される。
【００２５】
記録時はこの再生系の制御は絶たれ、コントロール信号ＥＮＣｗによってＬＤ２１に対する駆動電流の供給が制御される。ここで、仮にＬＤ２１から１０ｍＷのパルスがデューティ５０％で出射されるとすると、Ｉ／Ｖ変換器２３の出力は０Ｖと１Ｖの２値のパルスであるが、この平均値を生成するＬＰＦ２９の出力では０．５Ｖが得られる。
【００２６】
従って、デューティが５０％の場合は誤差増幅器２４ｗの目標設定値ｗを０．５Ｖに設定してやれば、ＬＤ２１からは０ｍＷと１０ｍＷの２値のパルスが出力されることになる。逆に、目標設定値ｗを１Ｖに設定すると目標設定値ｗとＬＰＦ２９の出力とが等しくなるように誤差増幅器２４ｗ，Ｖ／Ｉ変換器２５ｗ，電流増幅器２６ｗによってＬＤ２１に対する駆動電流Ｉｗが制御されるため、デューティ５０％の場合ＬＤ２１からは２０ｍＷのと０ｍＷの２値のパルスが出力されることになる。つまり、目標設定値ｗにはＬＤ２１を光らせたいライトパワーＰｗの１／２の設定電圧を与えてやればよいことになる。
【００２７】
しかしながら、実際の光ディスク１への書込みの場合には、図２に示したように、形成する記録ピットよりも若干短い、或いは若干長いパルス幅のパルスをＬＤ２１から出力させるため、第１のパワー＝ライトパワーＰｗのデューティが５０％より小さく、或いは、大きくなってしまう。
例えば、デューティが４０％のライトパワーＰｗ＝１０ｍＷのパルスがＬＤ２１より出力される場合、ＬＰＦ２９の出力には０．４Ｖが出力されることになる。ここで、誤差増幅器２４ｗの目標設定値が０．５Ｖであると、誤差増幅器２４ｗによりＬＰＦ２９の出力が０．５になるように制御されるため、ＬＤ２１から出射されるパルスが１０ｍＷより大きくなってしまう。
【００２８】
したがって、ＬＰＦ３１によってコントロール信号ＥＮＣｗの平均値を生成し、その平均値信号をＡ／Ｄコンバータ３２によってモニタしてデジタルデータに変換してＣＰＵ１７に取り込むことによりＣＰＵ１７において補正量を算出し、その補正量に基づく補正値としてＤ／Ａ変換器３０を介して誤差増幅器２４ｗに与えるようにする。例えば、コントロール信号ＥＮＣｗがデューティ５０％の場合はＬＰＦ３１の出力はコントロール信号ＥＮＣｗのＨレベルの１／２が出力される。
【００２９】
このようにすることで、ＬＰＦ２９の出力から引き、或いは、目標設定値ｗを増やしてやれば、デューティが変わっても同一のライトパワーＰｗでＬＤ２１から安定したパワーで出射させることができる。例えば、上例のデューティが４０％の場合、−１０％の増加であり、その分（上述の調整がなされている場合、−０．１Ｖ）をＬＰＦ２９の出力０．５Ｖから引いてやるか目標設定値ｗの０．５Ｖに−０．１Ｖを足してやれば、第１のパワー＝ライトパワーＰｗを１０ｍＷとして発光させることができる。
【００３０】
このように、（ｎ−θ）×Ｔや（ｎ＋θ）×Ｔの幅にすることでデューティが変化した分、設定パワーと実際のパワーがずれてしまうが、このずれを補正すると共に、ＬＤ２１の駆動電流制御をＬＰＦ２９を利用した平均値で行うようにすれば、記録速度が高速化しても、安価な構成でＡＰＣ制御を実現できる。さらに、ＰＤ２２の出力が高速である必要がないので、ＰＤ２２自体或いはＰＤ２２の出力をＩ／Ｖ変換するＩ／Ｖ変換器２３として低速で安価なものが使用できる。また、ライトパワーＰｗレベルのデューティをそのコントロール信号ＥＮＣｗの平均値により求めるようにし、目標設定値のデューティとこの検出デューティとの差を補正値として誤差増幅器２４ｗに与えることで、ＣＰＵ１７に複雑な計算をさせる必要がなくなり、その負担を軽減させることができる。
【００３１】
次に、この発明に係る処理について説明する。
ここで、図３に示したＬＰＦ３１の出力は記録開始時には図５に示すようになる。図５は記録開始時のコントロール信号ＥＮＣｗの平均値を示す波形図である。Ｐｒ＝１ｍＷ，Ｐｗ＝１１ｍＷの場合かつ図３のＰＤ２２のＩ／Ｖ変換器２３の出力が１０ｍＷで１Ｖとした場合、ＰＤ２２は入射光量に単純比例する出力電流を生じるのでＰｒ＝１ｍＷではＩ／Ｖ変換器２３の出力は０．１Ｖ，Ｐｗ＝１１ｍＷ時はＩ／Ｖ変換器２３の出力は１．１Ｖになる。
ここでＤｕｔｙ５０％の場合、Ｉ／Ｖ変換器２３の出力を平均化するＬＰＦ２９の出力電圧は０．１Ｖと１．１Ｖの平均値は０．６Ｖとなる。
【００３２】
したがって、目標設定値ｗは０．６Ｖで良い。この場合を図１の補正値０とすると記録品質の為、Ｄｕｔｙを６０％とする場合、ＬＰＦ２９の出力は（１．１−０．１）×０．６＋０．１＝０．７Ｖとなるので、目標設定値ｗを０．６Ｖとすると補正値は０．１Ｖとなる。
逆にＤｕｔｙ：Ａ％の場合、ＬＰＦ２９の出力は（１．１−０．１）×Ａ／１００＋０．１［Ｖ］となり、補正値は（１．１−０．１）×Ａ／１００＋０．１−０．６Ｖとなる。
【００３３】
上述したＤｕｔｙ５０％や６０％というのはＥＮＣｗ信号をＬＰＦ３１によって平均化した電圧からデューティーを定常的に読み取った場合に得られる値であるが、実際のライト開始時はこのＥＮＣｗ信号を平均化した信号は図５の（ｃ）に示すように０から始まってしまうので、上述の例の場合Ｄｕｔｙ０に相当し、上記補正値は（１．１−０．１）×０＋０．１−０．６なので−０．５Ｖとなり、つまり目標設定値ｗが０．６Ｖなので補正値と合わせると０．１Ｖ、つまり１ｍＷ（リードパワー）が本制御系のターゲット電圧になってしまうことになる。
したがって、ライト記録開始直後に制御系はライト電流を０にする方向に下げてからコントロール信号ＥＮＣｗの平均値又はその平均値に比例する比例値が上昇するに従って再度ライト電流を上げに行くので、記録パワー制定までに無駄な時間がかかり、記録再開時の記録品質が劣化してしまう。
【００３４】
そこで、この実施形態のレーザコントロール回路１６では、記録開始前にコントロール信号ＥＮＣｗの平均値を求めることにより上述の問題を改善している。
図６は、図３に示すレーザコントロール回路におけるこの発明に係る処理を示すフローチャート図である。この処理により、レーザコントロール回路１６は、記録動作開始前に記録時のＤｕｔｙを取得できるので上述の問題が改善できる。
【００３５】
すなわち、ステップ（図中「Ｓ」で示す）１で記録中か否かを判断し、記録中でなければ（記録開始動作前なら）ステップ２でコントロール信号ＥＮＣｗによって記録時と同一のＤｕｔｙ（デューティー）となるダミー記録データを発光する動作を行い、ステップ３でＥＮＣｗＬＰＦ（コントロール信号ＥＮＣｗの平均値又はその平均値に比例する比例値）が整定完了したか否かを判断して整定完了するまで待ち（この待ち時間はＥＮＣｗのＬＰＦの時定数で決定すればよい）、整定完了したら、ステップ４でコントロール信号ＥＮＣｗによって記録時と同一のＤｕｔｙ（デューティー）となるダミー記録データを発光する動作を終了し、この処理を終了する。このようにして、記録開始動作前にＤｕｔｙを図３のＡ／Ｄコンバータ３２により取得しておく。
【００３６】
そして、実際の記録開始時はこの取得したデューティーによって上記補正電圧を決定する。
このようにして、ライト発光前にコントロール信号の平均値を取得し、ライト発光開始時前記取得済平均値を使用することにより、ライト発光開始時正しく補正量を設定することができ、記録開始時のＬＤのパワー制御を正しく行うことができる。
【００３７】
次に、ライト前のリード時にＥＦＭ信号を発光する際、ライト電流があると記録されてしまうので、これを防ぐとよい。
図７は、図３に示すレーザコントロール回路におけるこの発明に係る他の処理を示すフローチャート図である。この処理には、図６に示した処理にライト電流を０に設定するシーケンスが追加されている。
【００３８】
すなわち、ステップ（図中「Ｓ」で示す）１１で記録中か否かを判断し、記録中でなければ（記録開始動作前なら）ステップ１２でライト電流を０に設定し、ステップ１３でコントロール信号ＥＮＣｗによって記録時と同一のＤｕｔｙ（デューティー）となるダミー記録データを発光する動作を行い、ステップ１４でＥＮＣｗＬＰＦ（コントロール信号ＥＮＣｗの平均値又はその平均値に比例する比例値）が整定完了したか否かを判断して整定完了するまで待ち（この待ち時間はＥＮＣｗのＬＰＦの時定数で決定すればよい）、整定完了したら、ステップ１５でコントロール信号ＥＮＣｗによって記録時と同一のＤｕｔｙ（デューティー）となるダミー記録データを発光する動作を終了し、この処理を終了する。
【００３９】
このように、レーザコントロール回路１６が図３に示すようにアナログＡＰＣ回路の場合はその目標電圧を０にしてやればよく、図１の目標設定値Ｗと補正値の和が０になるように設定してやれば良い。つまり、目標設定値Ｗが０．５Ｖなら補正値を−０．５Ｖに設定してやればよい。
【００４０】
また、図３では全ての処理をアナログ的に行うアナログＡＰＣ回路としてのレーザコントロール回路１６を示したが、ＡＰＣ制御をデジタル処理により行う場合（１つの光出力を制御する場合）にも同様に適用することができる。
図８は、図１に示すレーザコントロール回路がデジタル処理によってＡＰＣ制御を行う場合の回路の内部構成例を示すブロック図である。
【００４１】
このレーザコントロール回路は、図３と同様にＰＤ２２の出力はＩ／Ｖ変換器２３により電圧に変換される。そのＩ／Ｖ変換器２３の出力側の再生系では、Ａ／Ｄコンバータ（アナログ−デジタル変換器）４０ｒによりその電圧をデジタル値に変換し、ＣＰＵ４１ｒにおいてそのデジタル値を或る目標設定値データと比較し、同じになるようにＤ／Ａコンバータ（デジタル−アナログ変換器）４２ｒにデジタルデータを常に可変しながら送出する。このＤ／Ａコンバータ４２ｒの出力は図３の場合と同様にＶ／Ｉ変換器２５ｒによりＶ／Ｉ変換され電流増幅器２６ｒで電流増幅され、再生時にオンされるスイッチ２７ｒ，加算器２８を介してＬＤ２１にＬＤ駆動電流として供給される。
【００４２】
一方、Ｉ／Ｖ変換器２３の出力側の記録系では、通常のライトＡＰＣ時はＰＤ２２の出力をＬＰＦ２９で平均化した出力電圧をＡ／Ｄ変換器４０ｗで読み取り、それが目標の電圧になるようにライト電流を決定するＤ／Ａコンバータ４２ｗをＣＰＵ４１ｗでコントロールしてやるわけであるが、図７で示した処理動作時、その出力電流を決定するＤ／Ａコンバータ４２ｗを単純にゼロに設定してやれば良い。
このようにして、ライト前のリード時にＥＦＭ信号を発光する際、ライト電流を０にするので、ライト前のリード時に記録されないようにすることができる。
【００４３】
次に、ライト中断時などのリード時に上述の動作を実行すると、その動作時間だけライト時間が伸びてしまう。記録速度の高速化が進む昨今では、そのタイムロスは大きなハンディキャップになってしまう。
とりわけ記録速度の高速化が進み、パソコンからの光ディスク装置へのデータ転送が間に合わず、記録の中断発生回数が多くなってきている昨今ではこのタイムロスは大きい。
そこで、ライト中断時などにこのタイムロスを無くすようにするとよい。
【００４４】
図９は、図３に示すレーザコントロール回路におけるこの発明に係るさらに他の処理を示すフローチャート図である。
この処理では、コントロール信号ＥＮＣｗのＤｕｔｙが既に取得済みの場合はＤｕｔｙ取得の動作を実施しないようにしている。
【００４５】
ステップ（図中「Ｓ」で示す）２１で記録中か否かを判断し、記録中でなければ（記録開始動作前なら）、ステップ２２でＤｕｔｙを既に取得して保持しているか否かを判断し、保持していればこの処理を直ちに終了し、保持していなければ、ステップ２３でライト電流を０に設定し、ステップ２４でコントロール信号ＥＮＣｗによって記録時と同一のＤｕｔｙ（デューティー）となるダミー記録データを発光する動作を行い、ステップ２５でＥＮＣｗＬＰＦ（コントロール信号ＥＮＣｗの平均値又はその平均値に比例する比例値）が整定完了したか否かを判断して整定完了するまで待ち（この待ち時間はＥＮＣｗのＬＰＦの時定数で決定すればよい）、整定完了したら、ステップ２６でコントロール信号ＥＮＣｗによって記録時と同一のＤｕｔｙ（デューティー）となるダミー記録データを発光する動作を終了し、この処理を終了する。
【００４６】
このようにして、ライト中断時等はＰｗレベル出力のＯＮ／ＯＦＦ制御を行うコントロール信号の平均値を保持するので、ライト中断後の記録動作開始時は、ライト前のリード動作時、上記平均値を取得するコントロール信号のＯＮ／ＯＦＦ動作を実行しないようにすることができ、タイムロスなくライト発光開始時正しく補正量を設定することができる。
【００４７】
次に、現在一般的に用いられているレーザドライバ素子はリード（読み取り）時、高周波重畳をオン（ＯＮ）にしても、ライトパワー発光時には自動的に高周波重畳がオフ（ＯＦＦ）にされる。
ここで高周波重畳オンとオフでは同一パワーを発光する際にその必要駆動電流が異なることが一般的に知られている。
従って、上述の処理においてライト前のリード時、重畳するライト電流を０にした状態で、コントロール信号のオンとオフを行った場合、高周波重畳電流がオン／オフされてしまうことになる。
この場合、コントロール信号がオンの時、ＬＤ２１にはリードパワーが発光されないレベルの電流しかかからないことになる恐れがあり、従ってサーボ等が外れてタイムロスが生じてしまう。そこで、そのようなタイムロスを生じないようにするとよい。
【００４８】
図１０は、図３に示すレーザコントロール回路におけるこの発明に係るさらにまた他の処理を示すフローチャート図である。
この処理では、コントロール信号ＥＮＣｗのＤｕｔｙの取得の為のＥＮＣｗダミーライト実施前に上記再生系（リードＡＰＣ回路）をホールドする動作を追加している。そして、Ｄｕｔｙの取得後は通常のリードＡＰＣ動作に戻す。
【００４９】
ステップ（図中「Ｓ」で示す）３１で記録中か否かを判断し、記録中でなければ（記録開始動作前なら）、ステップ３２でＤｕｔｙを既に取得して保持しているか否かを判断し、保持していればこの処理を直ちに終了し、保持していなければ、ステップ３３でリードＡＰＣホールド（リード電流設定のＤ／Ａコンバータの設定値をホールド）し、ステップ３４でライト電流を０に設定し、ステップ３５でコントロール信号ＥＮＣｗによって記録時と同一のＤｕｔｙ（デューティー）となるダミー記録データを発光する動作を行う。
【００５０】
その後、ステップ３６でＥＮＣｗＬＰＦ（コントロール信号ＥＮＣｗの平均値又はその平均値に比例する比例値）が整定完了したか否かを判断して整定完了するまで待ち（この待ち時間はＥＮＣｗのＬＰＦの時定数で決定すればよい）、整定完了したら、ステップ３７でコントロール信号ＥＮＣｗによって記録時と同一のＤｕｔｙ（デューティー）となるダミー記録データを発光する動作を終了し、ステップ３８でリードＡＰＣを再開し、この処理を終了する。
【００５１】
図８に示した回路構成の場合はリードパワーを制御しているＡＰＣ動作、つまりＩ／Ｖ変換器２３の出力電圧が一定になるようにＣＰＵ４１ｒはＤ／Ａコンバータ４２ｒを増減させてＬＤ２１の出力リードパワーが一定となる動作をＥＮＣｗのＤｕｔｙ取得前にホールドし、つまりＤ／Ａコンバータ４２ｒの増減を止めて現状値に固定し、コントロール信号ＥＮＣｗのＤｕｔｙ取得後は上記通常のリードＡＰＣ動作に戻す。
【００５２】
なお、図１のような再生系（リードＡＰＣ回路）がアナログＡＰＣ回路の場合はこのリード電流をホールドするためには、ホールドする為の期間、誤差増幅器の時定数をＥＮＣｗ取得時間に対して十分大きくしてやれば良い。つまり、制御速度を十分に遅くしてやれば良い。
このようにして、ライト前のリード時のＯＮ／ＯＦＦ制御信号の平均値取得時はリードパワーのパワー制御動作をホールドするので、高周波重畳ＯＮ／ＯＦＦの駆動電流差により生じるリードパワーの低下や消灯を防ぎ、従ってサーボはずれなどによるタイムロスを防ぐことができる。
【００５３】
【発明の効果】
以上説明してきたように、この発明の光出力制御装置によれば、記録開始時の光源のパワー制御が正しく実行されるようにすることができる。
【図面の簡単な説明】
【図１】図１は、この発明の光出力制御装置の一実施形態であるレーザコントロール回路を用いた光ディスク装置の内部構成例を示すブロック図である。
【図２】図３に示す光源である半導体レーザＬＤから発光されるレーザ光の２値方式の発光波形を示す波形図である。
【図３】図１に示すレーザコントロール回路の内部構成例を示すブロック図である。
【図４】図１に示すＣＤエンコーダの内部構成例を示すブロック図である。
【図５】記録開始時のコントロール信号ＥＮＣｗの平均値を示す波形図である。
【図６】図３に示すレーザコントロール回路におけるこの発明に係る処理を示すフローチャート図である。
【図７】図３に示すレーザコントロール回路におけるこの発明に係る他の処理を示すフローチャート図である。
【図８】図１に示すレーザコントロール回路がデジタル処理によってＡＰＣ制御を行う場合の回路の内部構成例を示すブロック図である。
【図９】図３に示すレーザコントロール回路におけるこの発明に係るさらに他の処理を示すフローチャート図である。
【図１０】図３に示すレーザコントロール回路におけるこの発明に係るさらにまた他の処理を示すフローチャート図である。
【符号の説明】
１：光ディスク      ２：スピンドルモータ
３：モータドライバ  ４：サーボ
５：光ピックアップ  ６：リードアンプ
７：ＣＤデコーダ    ８：ＣＤ−ＲＯＭデコーダ
９：バッファマネージャ  １０：バッファＲＡＭ
１１：ＡＴＡＰＩ／ＳＣＳＩ・Ｉ／Ｆ
１２，３０，４２ｒ，４２ｗ：Ｄ／Ａコンバータ
１３：ＡＴＩＰデコーダ  １４：ＣＤエンコーダ
１５：ＣＤ−ＲＯＭエンコーダ
１６：レーザコントロール回路
１７，４１ｒ，４１ｗ：ＣＰＵ
１８：ＲＯＭ        １９：ＲＡＭ
２０：マイクロコンピュータ
２１：ＬＤ          ２２：ＰＤ
２３：Ｉ／Ｖ変換器  ２４ｒ，２４ｗ：誤差増幅器
２５ｒ，２５ｗ：Ｖ／Ｉ変換器
２６ｒ，２６ｗ：電流増幅器
２７ｒ，２７ｗ：スイッチ    ２８：加算器
２９，３１：低域通過フィルタ（ＬＰＦ）
３２，４０ｒ，４０ｗ：Ａ／Ｄコンバータ
５１：波形整形回路  ５２：データ処理器
５３：発振器        ５４：クロックジェネレータ
５５：分周器
【図１】
2004288249.tif 000003
【図２】
2004288249.tif 000004
【図３】
2004288249.tif 000005
【図４】
2004288249.tif 000006
【図５】
2004288249.tif 000007
【図６】
2004288249.tif 000008
【図７】
2004288249.tif 000009
【図８】
2004288249.tif 000010
【図９】
2004288249.tif 000011
【図１０】
2004288249.tif 000012